(57)【特許請求の範囲】
【請求項１】
普通充電、又は普通充電より大きい電流で充電する急速充電により充電されるバッテリと情報を提示する情報提示手段とを備える電動車両の制御装置であって、
普通充電が行われた際に前記バッテリの電池容量を推定する電池容量推定手段と、
急速充電が行われたとき普通充電推奨カウンタを１つ増分するとともに前記電池容量推定手段により前記バッテリの電池容量が推定されたとき、前記普通充電推奨カウンタを１つ減らすカウント手段と、
前記普通充電推奨カウンタが所定値を超えたと判定したとき、前記情報提示手段に普通充電することを促す普通充電推奨情報を提示させる判定手段と
を備えることを特徴とする電動車両の制御装置。
【請求項２】
請求項１に記載の電動車両の制御装置において、
前記バッテリには、前記バッテリの複数の電池セルの電圧にばらつきが生じた場合に、当該ばらつきが小さくなるように前記電池セルを充放電するバランサ回路が設けられ、
前記カウント手段は、
前記電池セル間で電圧がばらつく可能性のある所定条件において、バランサ回路が駆動しなかったことを表すバランサスキップカウンタを１つ増やし、
及び、普通充電が行われたときにバランサ回路が駆動したことを表すバランサ駆動カウンタを１つ増分し、
前記判定手段は、前記バランサ駆動カウンタに対する前記バランサスキップカウンタの比率が所定値を超えたと判定したとき、前記情報提示手段に前記普通充電推奨情報を提示させる
ことを特徴とする電動車両の制御装置。
【請求項３】
請求項２に記載の電動車両の制御装置において、
前記電池セル間で電圧がばらつく可能性のある所定条件は、イグニションスイッチがオフになってから所定時間以上経過した後である
ことを特徴とする電動車両の制御装置。
【請求項４】
請求項２に記載の電動車両の制御装置において、
前記電池セル間で電圧がばらつく可能性のある所定条件は、イグニションスイッチがオフになってから所定時間未満であり、かつ前記バッテリの電流値が所定値以下である
ことを特徴とする電動車両の制御装置。
【発明の詳細な説明】
【技術分野】
【０００１】
本発明は、二次電池の電力により走行する電動車両において、二次電池の電池容量がより正確に推定されるように、普通充電を促す電動車両の制御装置に関する。
【背景技術】
【０００２】
電気自動車やプラグインハイブリッド自動車等の電動車両に搭載されるバッテリは、例えば、家庭用電源による普通充電、又は専用の電源による急速充電により電力が供給されるように構成されている。バッテリの電池容量（ＳＯＣ）は、電気自動車に搭載された制御装置により推定される。電池容量が少なくなると、充電を促す表示がコンビメータ内に表示される。この表示をみて、運転者は普通充電又は急速充電をしている。
【０００３】
通常、電動車両では、急速充電においては電流及び電圧が安定しないため正確な電池容量が推定できない。したがって、電池容量の推定は、急速充電時には行わず、普通充電時に行っている。このように急速充電時に電池容量の推定を行わないことから、急速充電を繰り返すと、実際の電池容量と推定した電池容量とのずれが顕著になる。
【０００４】
したがって、充電を要するときは、可能であれば普通充電を選択することが好ましい。普通充電を行うことで電池容量の推定が行われるので、電池容量のずれが解消されるからである。
【０００５】
しかしながら、運転者には、上述したように充電すべき旨の表示がなされるだけであり、電池容量のずれを解消するために普通充電を選択すべきかについて、運転者は知り得ない。このため、運転者によっては、急速充電ばかりを繰り返し行うことがあり、電池容量のずれが解消しないおそれがある。
【０００６】
なお、急速充電の回数をカウントし、所定回数に達したら急速充電を禁止する電池充電装置が提案されている（例えば、特許文献１参照）。このような装置では、電池容量のずれの原因となる急速充電が禁止されるものの、運転者に普通充電を促す仕組みはなく、電池容量のずれを解消するものではない。
【先行技術文献】
【特許文献】
【０００７】
【特許文献１】特開２００１−２１８３７８号公報
【発明の概要】
【発明が解決しようとする課題】
【０００８】
本発明は上記事情に鑑みてなされたもので、正確な電池容量を表示するために普通充電を推奨することができる電動車両の制御装置を提供することを目的とする。
【課題を解決するための手段】
【０００９】
上記課題を解決する本発明の第１の態様は、普通充電、又は普通充電より大きい電流で充電する急速充電により充電されるバッテリと情報を提示する情報提示手段とを備える電動車両の制御装置であって、普通充電が行われた際に前記バッテリの電池容量を推定する電池容量推定手段と、急速充電が行われたとき普通充電推奨カウンタを１つ増分するとともに前記電池容量推定手段により前記バッテリの電池容量が推定されたとき、前記普通充電推奨カウンタを１つ減らすカウント手段と、前記普通充電推奨カウンタが所定値を超えたと判定したとき、前記情報提示手段に普通充電することを促す普通充電推奨情報を提示させる判定手段とを備えることを特徴とする電動車両の制御装置にある。
【００１０】
かかる第１の態様では、急速充電が繰り返された場合において、正確な電池容量を表示するために普通充電を推奨する普通充電推奨情報を提示することができる。
【００１１】
本発明の第２の態様は、第１の態様に記載する電動車両の制御装置において、前記バッテリには、前記バッテリの複数の電池セルの電圧にばらつきが生じた場合に、当該ばらつきが小さくなるように前記電池セルを充放電するバランサ回路が設けられ、前記カウント手段は、前記電池セル間で電圧がばらつく可能性のある所定条件において、バランサ回路が駆動しなかったことを表すバランサスキップカウンタを１つ増やし、及び、普通充電が行われたときにバランサ回路が駆動したことを表すバランサ駆動カウンタを１つ増分し、前記判定手段は、前記バランサ駆動カウンタに対する前記バランサスキップカウンタの比率が所定値を超えたと判定したとき、前記情報提示手段に前記普通充電推奨情報を提示させることを特徴とする電動車両の制御装置にある。
【００１２】
かかる第２の態様では、バランサ回路が十分な回数駆動しないために電池セル間の電圧にばらつきが生じ、これが原因で正確な電池容量を表示できない場合に、正確な電池容量を表示するために普通充電を推奨する普通充電推奨情報を提示することができる。
【００１３】
本発明の第３の態様は、第２の態様に記載する電動車両の制御装置において、電池セル間で電圧がばらつく可能性のある所定条件は、イグニションスイッチがオフになってから所定時間以上経過した後であることを特徴とする電動車両の制御装置にある。
【００１４】
かかる第３の態様では、イグニションスイッチがオフになってから所定時間以上経過しており、バランサ回路が十分な回数駆動しないために電池セル間の電圧にばらつきが生じ、これを起因として正確な電池容量を表示できない場合に、正確な電池容量を表示するために普通充電を推奨する普通充電推奨情報を提示することができる。
【００１５】
本発明の第４の態様は、第２の態様に記載する電動車両の制御装置において、前記電池セル間で電圧がばらつく可能性のある所定条件は、イグニションスイッチがオフになってから所定時間未満であり、かつ前記バッテリの電流値が所定値以下であることを特徴とする電動車両の制御装置にある。
【００１６】
かかる第４の態様では、バッテリの電流値が所定値以下である場合、バッテリの電圧・電流が安定しており、電池容量推定手段により推定された電池容量としては精度が高いものである。しかし、バランサ回路が十分な回数駆動しないために電池セル間の電圧にばらつきが生じ、これが原因で正確な電池容量を表示できない場合に、正確な電池容量を表示するために普通充電を推奨する普通充電推奨情報を提示することができる。
【発明の効果】
【００１７】
本発明によれば、正確な電池容量を表示するために普通充電を推奨することができる電動車両の制御装置が提供される。
【図面の簡単な説明】
【００１８】
【図１】電動車両の制御装置の概略構成を示す図である。
【図２】電動車両の制御装置の概略構成を示すブロック図である。
【図３】制御装置の処理フローを示す図である。
【図４】制御装置の処理フローを示す図である。
【発明を実施するための形態】
【００１９】
以下、本発明を実施するための形態について説明する。なお、実施形態の説明は例示であり、本発明は以下の説明に限定されない。
図１は電動車両の制御装置の概略構成を示す図であり、図２は電動車両の制御装置の概略構成を示すブロック図である。
【００２０】
電動車両１は、二次電池であるバッテリ２と、このバッテリ２からの電力供給により作動するモータ３とを備える。モータ３は、駆動機構４を介して駆動輪（本実施形態では、前輪）５に連結されている。
【００２１】
バッテリ２に蓄えられた電力は、不図示のインバータで直流から交流に変換されてモータ３に流入し、これによりモータ３が駆動される。また、電動車両１の減速時の回生発電電力は、インバータで交流から直流に変換されてバッテリ２に流入し、バッテリ２に充電される。これらの制御は、車両の統合制御を行う制御装置１０により行われる。
【００２２】
また、バッテリ２は、急速充電及び普通充電の二つの方式に対応して外部電源による充電が可能となっている。急速充電とは、バッテリ２を短時間で充電することを目的として、バッテリ２に大電流を流すことにより行われる充電方式である。普通充電とは、バッテリ２に急速充電よりも少ない電流を流すことにより行われる充電方式である。
【００２３】
利用者は、充電するときは、何れか一方の充電方式を選択して、外部電源をバッテリ２に接続して充電する。なお、電動車両１には、外部電源が接続される充電口（不図示）が設けられているが、物理的な形状に特に限定はない。充電口は、二つの方式のそれぞれについて個別に設けられていてもよいし、二つの方式に共通して設けられていてもよい。
【００２４】
本実施形態では、特に図示しないが、電動車両１には、急速充電を行う急速充電口と、普通充電を行う普通充電口が設けられている。普通充電口は、家庭用の商用電源（交流１００Ｖ、あるいは２００Ｖ等）を接続させる接続口であり、ＤＣ−ＤＣコンバータ（図示せず）を介してバッテリ２に接続している。
【００２５】
また、急速充電口は、急速充電用の外部電源が接続される接続口であり、電圧変換器等を介することなくバッテリ２に接続している。急速充電口には、電力線の端子とともに信号線の端子が設けられている。急速充電口に急速充電用の外部電源から急速充電ノズルが接続されると、信号線を介して制御装置１０と、急速充電用の外部電源の制御部が接続され、制御装置１０からの要求信号が外部電源の制御部に送られる。外部電源は、制御装置１０からの要求信号に従って、充電用の電力をバッテリ２に供給する。
制御装置１０は、これらの急速充電口又は普通充電口を経由して急速充電又は普通充電の何れが実行されたかを検出することができるようになっている。
【００２６】
バッテリ２は、直列に接続された複数の電池セルと、バランサ回路６とを備えている。バランサ回路６は、各電池セル間の電圧を均等化する回路であり、バッテリ２の実質的な充電容量の低下を抑制することができる。すなわち、バッテリ２では、充放電サイクルを繰り返しているうちに、各電池セル間の温度状態や劣化状況の違い等に起因して各電池セル間の電圧にばらつきが生じやすくなる。バッテリ２内の各電池セル間の電圧にばらつきが大きくなると、結果的にバッテリ２の実質的な充電容量が低下してしまう。このため、各電池セル間に電圧差が生じないように、電圧が他の電池セルよりも高い電池セルから放電を行う機能を有するバランサ回路６が設けられている。
バランサ回路６は、制御装置１０からの命令を受けて駆動し、上述した電池セル間の電圧の均等化を実施する。
【００２７】
また、電動車両１には、情報提示手段の一例として、コンビメータ７が設けられている。コンビメータ７は、電動車両１に関する様々な情報を示す複数のインジケータランプを備えている。インジケータランプは、制御装置１０に制御されて様々な状態の表示をおこなう。
【００２８】
コンビメータ７には、普通充電を推奨する旨の図形が描かれたインジケータランプ８が設けられている。本実施形態では、インジケータランプ８は、家庭用電源に接続する普通充電用ケーブルを模した形状となっている。
【００２９】
なお、情報提示手段としては、このようなコンビメータ７に限定されず、電動車両１に関する様々な情報を運転者などに伝達することが可能な装置であればよい。例えば、情報提示手段として、制御装置１０による制御に基づいて、各種情報を画像として表示する液晶ディスプレイなどの表示装置を用いることができる。また、情報提示手段としてスピーカーなどの音響装置を用い、各種情報を音声や警告音として伝達するようにしてもよい。
【００３０】
電動車両１に搭載される制御装置１０は、例えばマイクロプロセッサやＲＯＭ、ＲＡＭ等を集積したＬＳＩデバイスや組み込み電子デバイスとして構成され、車両に設けられた車載ネットワーク網の通信ラインに接続される。なお、車載ネットワーク上には、例えばブレーキ制御装置、変速機制御装置、車両安定制御装置、空調制御装置、電装品制御装置といったさまざまな公知の電子制御装置が、互いに通信可能に接続されている。
【００３１】
このような制御装置１０は、カウント部１１と、電池容量推定部１２と、判定部１３とを備えている。本実施形態では、これらのカウント部１１、電池容量推定部１２及び判定部１３は、制御装置１０により実行されるプログラムの機能として実装されている。もちろん、このような態様に限定されず、カウント部１１、電池容量推定部１２及び判定部１３は、電子回路（ハードウェア）として実装されていてもよい。
【００３２】
カウント部１１は、詳細は後述するが、バッテリ２の急速充電が行われたことを検知してその回数を計数したり、バランサ回路６が駆動したことを検出してその回数を計数し、又は駆動しなかった回数を計数する。
【００３３】
電池容量推定部１２は、バッテリ２の電池容量を推定する。バッテリ２の電池容量は、公知の方法により推定することができるが、例えば、予めバッテリの電圧と電池容量との関係を示すマップをメモリに記憶しておき、バッテリ２から取得した電圧に対応する電池容量を当該マップから読み出すことで電池容量を推定することができる。
【００３４】
また、電池容量推定部１２は、普通充電中、イグニションスイッチがオフになってから所定時間以上経過したとき、又は、イグニションスイッチがオフになってから所定時間未満でありバッテリ２が所定値以下であるときに電池容量の推定を行う。
【００３５】
判定部１３は、カウント部１１によりカウントされた種々のパラメータに基づいて、普通充電を促すためのインジケータランプ８の表示・非表示を判定する。
【００３６】
種々のパラメータとしては、急速充電されるごとに増やされ、電池容量が推定されるごとに減らされる普通充電推奨カウンタが挙げられる。他のパラメータとしては、バランサ回路６が駆動した、または駆動しなかったことを計数したバランサ駆動カウンタ及びバランサスキップカウンタが挙げられる。
【００３７】
まず、普通充電推奨カウンタを用いる場合について詳細に説明する。
カウント部１１は、バッテリ２に急速充電が行われたとき普通充電推奨カウンタを１つ増分する。上述したように、制御装置１０は、バッテリ２に急速充電が行われたことを検出する機能が備わっている。したがって、カウント部１１は、制御装置１０が急速充電を検出したときに、普通充電推奨カウンタを１つ増分する。また、カウント部１１は、電池容量推定部１２により電池容量が推定されたとき、普通充電推奨カウンタを１つ減らす。
【００３８】
判定部１３は、普通充電推奨カウンタが所定値を超えたと判定したとき、コンビメータ７に、普通充電することを促すことを表した形状のインジケータランプ８を提示させる。
【００３９】
このような形状のインジケータランプ８は、普通充電推奨情報の一例であり、このような態様に限定されない。普通充電推奨情報としては、電動車両１の利用者に普通充電が推奨されていることを認識させる文字、図形、記号若しくはこれらの組み合わせを採用することができる。また、普通充電推奨情報は、文字など視覚により認識されるものに限定されず、音声や警告音など聴覚により認識されるものであってもよい。
【００４０】
電池容量推定部１２は、バッテリ２の電池容量を推定するが、急速充電が繰り返されると電池容量推定部１２による推定が行われず、推定した電池容量と、実際の電池容量のずれが顕著になる。そこで、普通充電推奨カウンタが所定値を超えると、電池容量のずれが顕著になるような値を所定値とする。このような所定値は、例えば、シミュレーションや実測により予め得ておき、制御装置１０のメモリに保存しておく。
【００４１】
そして、判定部１３は、当該所定値と、カウント部１１により計数された普通充電推奨カウンタとを読み出して比較する。判定部１３により、普通充電推奨カウンタが所定値を超えたと判定された場合には、電池容量のずれが顕著になり始めることを意味する。そこで、判定部１３は、普通充電を推奨するインジケータランプ８をコンビメータ７に表示させる。
【００４２】
逆に、電池容量推定部１２により電池容量の推定がなされれば、電池容量のずれが解消されることを意味する。よって、カウント部１１により、電池容量の推定に伴って普通充電推奨カウンタが減らされ、判定部１３により、普通充電推奨カウンタが所定値以下であると判定された場合には、インジケータランプ８を表示しない状態で維持するか、又は表示していたインジケータランプ８を非表示とする。
【００４３】
このインジケータランプ８に従って電動車両１の利用者が普通充電を行えば、バッテリ２の充電とともにバランサ回路６による電圧の均等化がなされる。このように電池セル間の電圧のばらつきが解消された状態で、普通充電時に電池容量推定部１２による電池容量の推定が行われるので、電池容量の推定値は精度が高いものとなる。
【００４４】
なお、本実施形態の制御装置１０では、判定部１３により普通充電推奨カウンタが所定値を超えたと判定された場合、急速充電を禁止する制御は行わない。これにより、普通充電を行えない環境にある利用者に、急速充電の選択肢を残すことができる。もちろん、本発明の制御装置１０は、判定部１３により普通充電推奨カウンタが所定値を超えたと判定された場合、急速充電を禁止するバッテリ２の充電制御をすることも可能である。
【００４５】
次に、バランサ駆動カウンタ及びバランサスキップカウンタを用いて、普通充電を促すためのインジケータランプ８を表示又は非表示する場合について説明する。
バランサ駆動カウンタとは、バッテリ２に設けられたバランサ回路６が駆動したときに１つ増分されるカウンタである。バランサ回路６は、バッテリ２を普通充電したときに行われる。このため、バランサ駆動カウンタは実質的には普通充電が行われた回数と同等となる。
【００４６】
バランサスキップカウンタとは、バッテリ２の電池セル間で電圧がばらつく可能性が高い条件において、電池容量推定部１２が電池容量を推定したときに１つ増分されるカウンタである。
【００４７】
このような条件としては、（ｉ）イグニションスイッチがオフになってから所定時間以上経過した後、（ｉｉ）イグニションスイッチがオフになってから所定時間未満であり、かつバッテリの電流値が所定値以下である、という二つの条件が挙げられる。
【００４８】
（ｉ）の場合は、イグニションスイッチがオフになってから所定時間以上経過しているので、バッテリ２の電圧・電流が安定しており、電池容量推定部１２により推定された電池容量としては精度が高いものである。しかし、普通充電中にバランサ回路６によって電池セル間の電圧のばらつきが均等化されているときに推定した電池容量ではない。したがって、電池セル間の電圧のばらつきが原因で電池容量の推定精度が落ちている可能性がある。
【００４９】
（ｉｉ）の所定値とは、バッテリ２の電流値が所定値以下であれば電圧が安定するような値をいう。バッテリ２の電流値が所定値以下である場合、バッテリ２の電圧・電流が安定しており、電池容量推定部１２により推定された電池容量としては精度が高いものである。しかし、普通充電中にバランサ回路６によって電池セル間の電圧のばらつきが均等化されているときに推定した電池容量ではない。したがって、電池セル間の電圧のばらつきが原因で電池容量の推定精度が落ちている可能性がある。
【００５０】
上述した、バランサ駆動カウンタが多いほど、バランサ回路６によるバッテリ２の電池セル間の電圧のばらつきが解消されている可能性が高く、推定した電池容量の精度も高い。一方、バランサスキップカウンタが多いほど、バッテリ２の電池セル間の電圧にばらつきが生じている可能性が高く、推定した電池容量の精度が低い。
【００５１】
このようなバランサ駆動カウンタがバランサスキップカウンタよりも十分に大きいならば、バッテリ２の電池セル間に電圧のばらつきが生じておらず、電池容量の推定精度は高いと判断できる。逆に、バランサスキップカウンタがバランサ駆動カウンタよりも十分に大きいならば、バッテリ２の電池セル間に電圧のばらつきが生じており、電池容量の推定精度が低いと判断できる。
【００５２】
このような原理に基づき、カウント部１１、判定部１３は次のように機能する。
カウント部１１は、（ｉ）で述べたように、イグニションスイッチがオフになってから所定時間以上経過した後に、電池容量の推定がなされたら普通充電推奨カウンタを１つ減らし、バランサスキップカウンタを１つ増やす。
【００５３】
また、カウント部１１は、（ｉｉ）で述べたように、イグニションスイッチがオフになってから所定時間未満であり、かつバッテリ２の電池容量が所定値以下であるときに、普通充電推奨カウンタを一つ減らし、バランサスキップカウンタを１つ増やす。
【００５４】
つまり、カウント部１１は、（ｉ）（ｉｉ）の条件ともに、電池容量の推定がなされると、電池容量の推定精度は高くなる傾向にあるといえるので、普通充電推奨カウンタを減らした。ただし、電池セル間の電圧のばらつきが生じている可能性があるので、カウント部１１は、バランサスキップカウンタを一つ増やした。
さらに、カウント部１１は、バッテリ２の普通充電が行われたときに、バランサ駆動カウンタを１つ増分する。
【００５５】
判定部１３は、バランサ駆動カウンタ（Ｎ）に対するバランサスキップカウンタ（Ｍ）の比率（Ｍ／Ｎ）が所定値を超えたと判定したとき、コンビメータ７に、普通充電することを促すことを表した形状のインジケータランプ８を提示させる。当該比率が所定値を超えたということは、バランサスキップカウンタがバランサ駆動カウンタよりも十分大きいということであり、バッテリ２の電池セル間に電圧のばらつきが生じ、電池容量の推定精度が低いと判断できる。
【００５６】
このインジケータランプ８に従って電動車両１の利用者が普通充電を行えば、バッテリ２の充電とともにバランサ回路６による電圧の均等化がなされる。このように電池セル間の電圧のばらつきが解消された状態で、普通充電時に電池容量推定部１２による電池容量の推定が行われるので、電池容量の推定値は精度が高いものとなる。
【００５７】
ここで、図３及び図４を用いて制御装置１０の処理フローについて説明する。図３及び図４は、制御装置の処理フローを示す図である。
【００５８】
まず、制御装置１０は、イグニションスイッチ（ＩＧ）がオン（ＯＮ）であるかを判定する（ステップＳ１）。イグニションスイッチがオフである場合（ステップＳ１；Ｎｏ）、現在行われている、または直近で完了した充電が普通充電であるかを判定する（ステップＳ２）。普通充電ではない（ステップＳ２；Ｎｏ）、すなわち急速充電である場合は、普通充電推奨カウンタを１つ増分する（ステップＳ３）。次に、経過時間をセットする（ステップＳ４）。経過時間は、イグニションスイッチがオフになってからの時間を意味する。上述したように、ステップＳ１でイグニションスイッチがオフである（オンからオフになった）ので、経過時間の計測（カウント開始）を始めることになる。
このように普通充電推奨カウンタが増分され、経過時間が計測されたあとは、スタートに戻る。
【００５９】
ここで、電動車両１の利用者によりイグニションスイッチがオンにされたとする。すると、制御装置はイグニションスイッチがオンであると判定し（ステップＳ１；Ｙｅｓ）、次に経過時間が所定時間、ここでは１時間未満であるかを判定する（ステップＳ５）。ここでは、経過時間が１時間未満であるとする（ステップＳ５；Ｙｅｓ）。次に、普通充電推奨カウンタが所定回数、ここでは５回未満であるかを判定する（ステップＳ６）。上述したステップＳ１〜Ｓ２〜Ｓ３〜Ｓ４、すなわちイグニションスイッチがオフの状態で急速充電が５回以上行われていたならば（ステップＳ６；Ｎｏ）、普通充電を促すインジケータランプ８を点灯させ（ステップＳ７）、スタートに戻る。
つまり、急速充電を繰り返した結果、普通充電推奨カウンタが所定回数に達した場合は、普通充電を促すインジケータランプ８が点灯する。
【００６０】
なお、イグニションスイッチをオフにして（ステップＳ１；Ｎｏ）、普通充電が行われたとき（ステップＳ２；Ｙｅｓ）、電池容量（ＳＯＣ）推定したことを条件に（ステップＳ８；Ｙｅｓ）、普通充電を促すインジケータランプ８が消灯され（ステップＳ９）、普通充電に伴い実施されたバランサ回路６の駆動回数であるバランサー駆動回数を計数し（ステップＳ１０）、普通充電推奨カウンタをリセット（Ｓ１１）する。
【００６１】
つまり、普通充電をすることで電池容量の推定は十分精度が高いものとなったので、普通充電を促すインジケータランプ８を非表示にするとともに、普通充電推奨カウンタがリセットされる。
【００６２】
次に、バランサ駆動カウンタ及びバランサスキップカウンタを用いて、上述した（ｉ）の条件「イグニションスイッチがオフになってから所定時間以上経過した後」に関する処理フローについて説明する。まず、イグニションスイッチがオフである場合（ステップＳ１；Ｎｏ）、普通充電が行われ（ステップＳ２；Ｙｅｓ）、電池容量の推定が行われなければ（ステップＳ８；Ｎｏ）、経過時間の計測が開始される（ステップＳ４）。又は、イグニションスイッチがオフである場合（ステップＳ１；Ｎｏ）、急速充電が行われれば（ステップＳ２；Ｎｏ）、経過時間の計測が開始される（ステップＳ４）。
【００６３】
そして、スタートに戻り、次にイグニションスイッチがオンになったとき（ステップＳ１；Ｙｅｓ）、経過時間が１時間以上経過しているかを判定する（ステップＳ５）。経過時間の計測はイグニションスイッチがオフになったときに行われたものである。そして、オフからオンになったときに、オフであった経過時間が確定する。その経過時間が１時間以上経過しているならば（ステップＳ５；Ｎｏ、（ｉ）の条件）、電池容量の推定を実施する（ステップＳ１２）。電池容量の推定を実施したので、電池容量の推定精度が高くなる傾向であるといえるから、普通充電推奨カウンタを１つ減らす（ステップＳ１３）。次に、バランサスキップカウンタを１つ増やす（ステップＳ１４）。
【００６４】
次に、バランサ駆動回数に対するバランサスキップカウンタの比率が１０未満であるかを判定する（ステップＳ１５）。１０以上、すなわちバランサスキップ回数がバランサ駆動カウンタに比して十分大きいと判断できる場合（ステップＳ１５；Ｎｏ）、電池セル間の電圧のばらつきに起因して、電池容量の推定精度が低いと考えられるので、普通充電を促すインジケータランプ８を点灯する（ステップＳ１６）。バランサスキップ回数がバランサ駆動カウンタに比して十分小さいと判断できる場合（ステップＳ１５；Ｙｅｓ）、経過時間をリセットして（ステップＳ１７）、スタートに戻る。
なお、バランサ駆動回数に対するバランサスキップカウンタの比率と比較される数値は、１０に限定されない。バランサスキップ回数がバランサ駆動カウンタに比して十分大きいと判断される数値を任意に定めればよい。
【００６５】
つまり、イグニションスイッチがオフになっている時間が十分長い（１時間以上、ステップＳ５；Ｎｏ）ために、電池容量の推定が行われたものの、バランサ回路６の駆動が十分に行われていないために、電池容量の推定精度が十分高いといえない状況において、インジケータランプ８を点灯させ、普通充電を利用者に促すことができる。
【００６６】
次に、バランサ駆動カウンタ及びバランサスキップカウンタを用いて、上述した（ｉｉ）の条件「イグニションスイッチがオフになってから所定時間未満であり、かつバッテリの電流値が所定値以下である」に関する処理フローについて説明する。まず、イグニションスイッチがオフである場合（ステップＳ１；Ｎｏ）、普通充電が行われ（ステップＳ２；Ｙｅｓ）、電池容量の推定が行われなければ（ステップＳ８；Ｎｏ）、経過時間の計測が開始される（ステップＳ４）。又は、イグニションスイッチがオフである場合（ステップＳ１；Ｎｏ）、急速充電が行われれば（ステップＳ２；Ｎｏ）、経過時間の計測が開始される（ステップＳ４）。
【００６７】
そして、スタートに戻り、次にイグニションスイッチがオンになったとき（ステップＳ１；Ｙｅｓ）、経過時間が１時間以上経過しているかを判定する（ステップＳ５）。経過時間が１時間未満であるならば（ステップＳ５；Ｙｅｓ、（ｉｉ）の条件）、普通充電推奨カウンタが５回未満であるかを判定する（ステップＳ６）。普通充電推奨カウンタが５回以上であるならば、上述したようにインジケータランプ８を点灯する（ステップＳ７）。
【００６８】
普通充電推奨カウンタが５回未満であるならば（ステップＳ６；Ｙｅｓ）、普通充電インジケータを消灯する又は消灯した状態を維持する（ステップＳ１８）。次に、バッテリ２内の電流を測定する（ステップＳ１９）。このバッテリ２の電流値が所定値以下であるか否かにより判定する（ステップＳ２０）。バッテリ２の電流値が所定値以下でない場合は（ステップＳ２０；Ｎｏ）、処理をスタートに戻す。
【００６９】
一方、バッテリ２の電流値が所定値を超える場合は（ステップＳ２０；Ｙｅｓ）、電池容量の推定を実施する（ステップＳ１２）。電池容量の推定を実施したので、電池容量の推定精度が高くなる傾向であるといえるから、普通充電推奨カウンタを１つ減らす（ステップＳ１３）。次に、バランサスキップカウンタを１つ増やす（ステップＳ１４）。以降、（ｉ）の条件において述べたように、ステップＳ１５〜Ｓ１７の処理を実行する。
【００７０】
つまり、イグニションスイッチがオフになっている時間が短く、電流値が所定値以下のバッテリ２について電池容量の推定が行われたものの、バランサ回路６の駆動が十分に行われていないために、電池容量の推定精度が十分高いといえない状況において、インジケータランプ８を点灯させ、普通充電を利用者に促すことができる。
【００７１】
以上に説明したように、本実施形態に係る制御装置１０によれば、電池容量の推定精度が低下する条件、具体的には、急速充電が繰り返された場合や、バランサ回路６が十分な回数駆動していない場合などにおいて、正確な電池容量を表示するために普通充電を推奨するインジケータランプ８（普通充電推奨情報）を提示することができる。
【００７２】
このインジケータランプ８に従って電動車両１の利用者が普通充電を行えば、バッテリ２の充電とともにバランサ回路６による電圧の均等化がなされる。このようにバッテリ２の電池セル間の電圧のばらつきが解消された状態で、普通充電時に電池容量推定部１２による電池容量の推定が行われるので、電池容量の推定値は精度が高いものとなる。
【００７３】
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。例えば、上記実施形態に係る制御装置１０では、普通充電推奨カウンタと、バランサ駆動カウンタ及びバランサスキップカウンタとを併用したが、それぞれ単独で用いてもよい。
【産業上の利用可能性】
【００７４】
本発明は、自動車の産業分野で利用することができる。
【符号の説明】
【００７５】
１     電動車両
２     バッテリ
６     バランサ回路
７     コンビメータ（情報提示手段）
８     インジケータランプ（普通充電推奨情報）
１０   制御装置
１１   カウント部（カウント手段）
１２   電池容量推定部（電池容量推定手段）
１３   判定部（判定手段）
【図１】
0006465290.tif 000002
【図２】
0006465290.tif 000003
【図３】
0006465290.tif 000004
【図４】
0006465290.tif 000005